(57)【要約】【課題】ポンプ式ディスペンサー【解決手段】容器に結合されるキャップと、キャップで上昇・下降可能に備えられ、内容物が抽出されるノズルが形成されるヘッドと、ヘッドとキャップとの間に備えられ、ヘッドを最初の位置に復元する復元部とを含み、復元部は、ヘッドとキャップのそれぞれに支持されるように並んで離隔配置される第１及び第２の支持部と、第１の支持部と第２の支持部を互いに連結し、ヘッドの押し作動時に多重に緩衝・復元する多重テンション部とを含むことを特徴とするポンプ式ディスペンサー。【選択図】図４
2013086877.tif 000002
【特許請求の範囲】
【請求項１】
容器に結合されるキャップ；
前記キャップで上昇・下降可能に備えられ、内容物が抽出されるノズルが形成されるヘッド；及び
前記ヘッドとキャップとの間に備えられ、前記ヘッドを最初の位置に復元する復元部を含み、
前記復元部は、前記ヘッドと前記キャップのそれぞれに支持されるように並んで離隔配置される第１及び第２の支持部；
前記第１の支持部と前記第２の支持部を互いに連結し、前記ヘッドの押し作動時に多重に緩衝・復元する多重テンション部を含むことを特徴とするポンプ式ディスペンサー。
【請求項２】
前記第１及び第２の支持部はリング状に形成されることを特徴とする、請求項１に記載のポンプ式ディスペンサー。
【請求項３】
前記キャップと前記ヘッドの内面には、前記第１及び第２の支持部の遊動を防止する遊動防止部材が形成されることを特徴とする、請求項２に記載のポンプ式ディスペンサー。
【請求項４】
前記多重テンション部は、前記第１の支持部と前記第２の支持部との間に垂直方向に離隔配置される一対からなり、
前記第１の支持部と前記第２の支持部から互いに点対称方向に延長される第１のテンション部；及び
前記第１のテンション部の端部を互いに連結する第２のテンション部を含むことを特徴とする、請求項１に記載のポンプ式ディスペンサー。
【請求項５】
前記第１のテンション部と前記第２のテンション部は、前記第１及び第２の支持部の円周方向に曲率を有して形成されることを特徴とする、請求項４に記載のポンプ式ディスペンサー。
【発明の詳細な説明】
【技術分野】
【０００１】
本発明は、ポンプ式ディスペンサーに関するもので、より詳細には、各種洗剤や化粧品などの液体状態の内容物をポンピング作用によって所定量ずつ吐出させるために用いられるポンプ式ディスペンサーに関するものである。
【背景技術】
【０００２】
一般に、ディスペンサー（Ｄｉｓｐｅｎｓｅｒ）とは、密閉容器の内部に充填された気体や液体又はその他内容物を加圧によって一定量ずつ吐出させて使用する装置であって、化粧品や香水又は医薬品や食品などを貯蔵する各種密閉容器に適用されていることは周知の事実である。
【０００３】
ディスペンサーは、ボタン部を押すと、スプリングの弾性力に反してシャフトが下降し、ハウジング内に充填された内容物が通孔及び連結管を介してノズルに吐出される。そして、ボタン部から手を離すと、スプリングの弾性力によってシャフトが上昇しながら通孔の閉鎖によって内容物が遮断され、ハウジングの内部に真空が形成されるので、容器の内容物がハウジングに充填されるようになる。
【０００４】
ボタン部を繰り返して押すと、前記のような動作が繰り返されながら容器の内容物が吐出される。
【０００５】
一方、特許文献１（公開日：２００５年７月５日）には、「ポンプ式ディスペンサーにおける実液流入遮断による漏液防止構造」が開示されている。
【先行技術文献】
【特許文献】
【０００６】
【特許文献１】大韓民国公開特許第１０―２００５―００６７８０５号
【発明の概要】
【発明が解決しようとする課題】
【０００７】
一般的なディスペンサーによると、スプリングは、金属材質からなり、内容物が充填されたハウジングの内部に備えられるので、スプリングに錆又は破損が発生するおそれがあり、スプリングが内容物に浸っているので、抵抗によって内容物の吐出が円滑に行われないという問題がある。
【０００８】
また、ボタン部とキャップのロック時、長時間の押し力によってスプリングが変形するおそれがあるという問題がある。
【０００９】
したがって、これを改善する必要性が要請される。
【００１０】
本発明は、前記のような必要性に応じてなされたもので、その目的は、低廉な費用で容易に製造可能であり、弾性力を倍加する構造によって破損を防止することはもちろん、内容物の円滑な吐出作動が可能であるので、製品の信頼性を向上できるポンプ式ディスペンサーを提供することにある。
【課題を解決するための手段】
【００１１】
本発明に係るポンプ式ディスペンサーは、容器に結合されるキャップと、キャップで上昇・下降可能に備えられ、内容物が抽出されるノズルが形成されるヘッドと、ヘッドとキャップとの間に備えられ、ヘッドを最初の位置に復元する復元部とを含み、復元部は、ヘッドとキャップのそれぞれに支持されるように並んで離隔配置される第１及び第２の支持部と、第１の支持部と第２の支持部を互いに連結し、ヘッドの押し作動時に多重に緩衝・復元する多重テンション部とを含むことを特徴とする。
【００１２】
また、第１及び第２の支持部はリング状に形成されることを特徴とする。
【００１３】
また、キャップとヘッドの内面には、第１及び第２の支持部の遊動を防止する遊動防止部材が形成されることを特徴とする。
【００１４】
また、多重テンション部は、第１の支持部と第２の支持部との間に垂直方向に離隔配置される一対からなり、第１の支持部と第２の支持部から互いに点対称方向に延長される第１のテンション部と、第１のテンション部の端部を互いに連結する第２のテンション部とを含むことを特徴とする。
【００１５】
また、第１のテンション部と第２のテンション部は、第１及び第２支持部の円周方向に曲率を有して形成されることを特徴とする。
【発明の効果】
【００１６】
本発明に係るポンプ式ディスペンサーは、ヘッドとポンピング部を最初の位置に復元する復元部がキャップとヘッドとの間に備えられることによって、内容物との干渉を回避することができ、円滑な吐出作動が可能であるという効果を有する。
【００１７】
また、本発明は、復元部がプラスチック材質からなるので、低廉な費用で製造可能であり、支持部によってキャップとヘッドを堅固に支持し、Ｓ字状の多重テンション部によって弾性を増幅できるという効果を有する。
【００１８】
特に、本発明の多重テンション部は、ヘッドに発生する垂直力を２重に緩衝・復元することができ、圧縮による破損を防止し、弾性を倍加できるという効果を有する。
【図面の簡単な説明】
【００１９】
【図１】本発明の一実施例に係るポンプ式ディスペンサーの斜視図である。
【図２】本発明の一実施例に係るポンプ式ディスペンサーの分解斜視図である。
【図３】本発明の一実施例に係るポンプ式ディスペンサーの断面図である。
【図４】本発明の一実施例に係るポンプ式ディスペンサーの復元部を示した斜視図である。
【図５】本発明の一実施例に係るポンプ式ディスペンサーの復元部の作動を示した図である。
【図６】本発明の一実施例に係るポンプ式ディスペンサーの復元部の作動を示した図である。
【図７】本発明の一実施例に係るポンプ式ディスペンサーの使用状態を示した図である。
【図８】本発明の一実施例に係るポンプ式ディスペンサーの使用状態を示した図である。
【発明を実施するための形態】
【００２０】
以下、添付の各図面を参照して本発明に係るポンプ式ディスペンサーの一実施例を説明する。この過程で図面に示した各線の太さや構成要素の大きさなどは、説明の明瞭性と便宜上、誇張して図示する場合がある。また、後述する各用語は、本発明での機能を考慮して定義された用語であって、これは、使用者、運用者の意図又は慣例によって変わり得る。そのため、これら各用語は、本明細書全般にわたった内容に基づいて定義すべきであろう。
【００２１】
図１は、本発明の一実施例に係るポンプ式ディスペンサーの斜視図で、図２は、本発明の一実施例に係るポンプ式ディスペンサーの分解斜視図で、図３は、本発明の一実施例に係るポンプ式ディスペンサーの断面図で、図４は、本発明の一実施例に係るポンプ式ディスペンサーの復元部を示した斜視図で、図５と図６は、本発明の一実施例に係るポンプ式ディスペンサーの復元部の作動を示した図で、図７と図８は、本発明の一実施例に係るポンプ式ディスペンサーの使用状態を示した図である。
【００２２】
図１〜図８を参照すると、本発明の一実施例に係るポンプ式ディスペンサー１００は、キャップ１１０、ヘッド１３０及び復元部１６０を含む。
【００２３】
キャップ１１０は、容器に結合されるものであって、その下部は、内周面にねじ山１１２が形成されることによって容器の先端周囲にねじ結合され、中空状に形成される。
【００２４】
そして、キャップ１１０の下部にはハウジング１２０が備えられる。ハウジング１２０がキャップ１１０に固定され、容器から噴出された内容物が滞留する滞留空間部１２２が形成される。
【００２５】
このとき、キャップ１１０の内部にはハウジング１２０の先端を固定するための固定片１１４が形成され、ハウジング１２０の先端には、固定片１１４に結束される係止片１２４が形成される。
【００２６】
そして、固定片１１４に係止片１２４が支持された状態で固定片１１４の下部にガスケット１２９が結束され、ハウジング１２０は固定される。
【００２７】
また、ハウジング１２０の下端には、容器の内部に延長されるチューブＴが連結される。したがって、容器の内容物は、チューブＴを介して噴出され、ハウジング１２０の滞留空間部１２２に滞留する。
【００２８】
ヘッド１３０は、キャップ１１０の上部にスライディング可能に備えられる。そして、ヘッド１３０の内部には、容器の内容物を外部に抽出するためのノズル１３２が形成される。
【００２９】
そして、ハウジング１２０の内部には、ヘッド１３０の押し作動と連動して滞留空間部１２２の内容物を抽出するポンピング部１５０が備えられる。
【００３０】
ポンピング部１５０は、外部とハウジング１２０内部を連通させる流路１５３が形成されるシャフト１５２と、シャフト１５２とハウジング１２０との間に備えられ、シャフト１５２のスライディングを案内し、ハウジング１２０の内部を密閉するチャプレット１５４と、シャフト１５２に備えられ、流路１５３を選択的に開閉するためにハウジング１２０の内部に備えられるピストン１５６と、シャフト１５２のスライディングによって容器の内容物をハウジング１２０内に噴出するための噴出口１２６を開閉する遮蔽部材１５８とを含む。
【００３１】
すなわち、シャフト１５２の上端はヘッド１３０に固定され、流路１５３はヘッド１３０のノズル１３２と連通し、シャフト１５２の下端周囲には流路１５３と連通する流入口１５３ａが形成される。
【００３２】
したがって、シャフト１５２の上昇・下降によってピストン１５６が滞留空間部１２２の内容物を加圧すると同時に、流入口１５３ａを開閉することによって、内容物を外部に抽出することができる。
【００３３】
そして、遮蔽部材１５８は、ハウジング１２０の噴出口１２６を開閉するものであって、噴出口１２６をカバーするボール又はチェックバルブからなる。
【００３４】
また、ハウジング１２０の内面には、遮蔽部材１５８の離脱を防止する離脱防止片１２８が形成される。
【００３５】
復元部１６０は、ヘッド１３０とキャップ１１０との間に備えられ、ヘッド１３０を最初の位置に復元する。このとき、ヘッド１３０はポンピング部１５０と連動するので、ヘッド１３０の復元時にポンピング部１５０も復元される。
【００３６】
復元部１６０は、ヘッド１３０とキャップ１１０のそれぞれに支持されるように並んで離隔配置される第１及び第２の支持部１６２、１６４と、第１の支持部１６２と第２の支持部１６４を互いに連結し、ヘッド１３０の押し作動時に多重に緩衝・復元する多重テンション部１６５とを含む。
【００３７】
復元部１６０は、プラスチック材質からなり、図４に示すようにＳ字状に形成される。
【００３８】
そして、このようなＳ字状は、繰り返して複数形成されてもよい。
【００３９】
このとき、キャップ１１０とヘッド１３０には、それぞれ復元部１６０の一部を収容する収容部１４０が形成される。そして、第１及び第２の支持部１６２、１６４は、リング状からなり、キャップ１１０とヘッド１３０にそれぞれ接する。
【００４０】
キャップ１１０とヘッド１３０の内面には、第１及び第２の支持部１６２、１６４の遊動を防止する遊動防止部材１４５が形成される。
【００４１】
遊動防止部材１４５は、キャップ１１０とヘッド１３０にそれぞれ対向する方向に突出形成され、第１及び第２の支持部１６２、１６４の内周面に挟まれて遊動を防止する。
【００４２】
多重テンション部１６５は、第１の支持部１６２と第２の支持部１６４との間に垂直方向に配置される一対からなり、第１の支持部１６２と第２の支持部１６４から互いに点対称方向に延長される第１のテンション部１６６と、第１のテンション部１６６の端部を互いに連結する第２のテンション部１６８とを含む。
【００４３】
すなわち、図５と図６に示すように、第１のテンション部１６６と第２のテンション部１６８との境界部位は折り曲げられて形成され、緩衝作用が可能な構造をなしている。
【００４４】
そして、第１のテンション部１６６と第２のテンション部１６８は、第１及び第２の支持部１６２、１６４の円周方向に曲率を有して形成される。
【００４５】
したがって、ヘッド１３０の押し作動時、第１のテンション部１６６と第２のテンション部１６８は、折り曲げ部位によって第１次緩衝・復元が可能であり、第１及び第２の支持部１６２、１６４の円周方向に曲率を有して形成されることによって外部に広がる弾性が作用し、第２次緩衝・復元が可能な構造を有する。
【００４６】
以下、前記のような構造を有する本発明の一実施例に係るポンプ式ディスペンサーの作用を説明する。
【００４７】
キャップ１１０は、下端部の内径にねじ山１１２が形成されることによって容器の入口周囲とねじ結合される。
【００４８】
そして、使用者が容器の内容物をノズル１３２を介して外部に抽出しようとする場合、ヘッド１３０を押すと、図７に示すようにヘッドのノズル１３２を介して一定量の内容物が抽出されるようになる。
【００４９】
内容物の抽出を詳細に説明すると、ヘッド１３０の押し動作によってヘッド１３０が下降し、ヘッド１３０と連動するシャフト１５２が下降するようになる。
【００５０】
シャフト１５２は、ハウジング１２０の内部に固定されてハウジング１２０の内部を密閉するチャプレット１５４に貫通されることによって、下降が可能である。
【００５１】
このとき、ヘッド１３０とキャップ１１０との間に備えられる復元部１６０が収縮されるようになる。
【００５２】
そして、シャフト１５２の端部に連結されるピストン１５６は、ハウジング１２０の滞留空間部１２２を圧着すると同時に、シャフト１５２の流入口１５３ａを開放するようになる。
【００５３】
滞留空間部１２２の圧縮によって、滞留空間部１２２の内容物は、開放された流入口１５３ａを介してシャフト１５２の流路１５３とヘッド１３０のノズルに沿って外部に抽出されるようになる。
【００５４】
ピストン１５６の外径は滞留空間部１２２の内径に接するので、滞留空間部１２２の圧力が上昇し、このような圧力によって、滞留空間部１２２の内容物は、開放された流入口１５３ａを介して外部に抽出される。
【００５５】
その後、ヘッド１３０の押し作動が解除されると、図８に示すように、キャップ１１０とヘッド１３０との間に備えられ、ヘッド１３０の押し作動によって収縮された復元部１６０は、弾動されてヘッド１３０を上昇させる。
【００５６】
ヘッド１３０の上昇によってシャフト１５２とピストン１５６が上昇し、ピストン１５６はシャフト１５２の流入口１５３ａを塞ぐようになり、ピストン１５６の上昇によって滞留空間部１２２に真空圧が発生するので、容器の内容物は、チューブＴに沿って噴出されて滞留空間部１２２に充填されるようになる。
【００５７】
これは、ピストン１５６の上昇によって滞留空間部１２２に発生する真空圧によってハウジング１２０の噴出口１２６を塞いでいる遮蔽部材１５８が噴出口１２６を開放することによって可能である。
【００５８】
このように、ヘッド１３０の押し動作の繰り返しによって、使用者は容器の内容物を抽出することができる。
【００５９】
以下、その後の復元部１６０の作用を説明する。
【００６０】
復元部１６０は、プラスチック材質からなり、従来のスチールからなるスプリングに比べて低廉な費用で製作可能であり、錆が発生しないので製品の寿命を延長し、不良を防止することができる。
【００６１】
そして、復元部１６０は、キャップ１１０とヘッド１３０との間に備えられることによって、従来のハウジング１２０の内容物に浸っているスプリングに比べて抵抗なく自由な復元が可能である。
【００６２】
このような復元部１６０は、水平に並んでリング状からなる第１及び第２の支持部１６２、１６４によってキャップ１１０とヘッド１３０をそれぞれ支持し、キャップ１１０とヘッド１３０にそれぞれ形成される遊動防止部材１４５によって、ヘッド１３０の押し作動時にねじ曲げられることなく垂直な力を受けることができる。
【００６３】
このとき、第１及び第２の支持部１６２、１６４は、リング状に形成されてそれぞれの遊動防止部材１４５に嵌められることによって、その固定が容易な効果を有する。
【００６４】
そして、ヘッド１３０の押し作動時に多重テンション部１６５によって弾性が倍加されるので、プラスチック材質の短所である限界破損を予防することができる。
【００６５】
これは、図５と図６に示すように、ヘッド１３０の押し作動によって、まず、第１のテンション部１６６と第２のテンション部１６８との間の折り曲げ部位が収縮されながら１次緩衝が行われ、第１のテンション部１６６と第２のテンション部１６８が第１及び第２の支持部１６２、１６４の円周方向に曲率を有して形成されることによって、中央部に位置した第２のテンション部１６８が外側に凸状に広がりながら２次緩衝が行われる。
【００６６】
多重テンション部１６５の復元を説明すると、第２のテンション部１６８が弛緩されながら１次復元が行われ、第１のテンション部１６６と第２のテンション部１６８との間の折り曲げ部位が弛緩されながら２次復元が行われる。
【００６７】
したがって、１次及び２次緩衝及び復元によって弾性が倍加されるので、破損を防止することができ、内容物の抽出を円滑に行うことができる。
【００６８】
本発明は、図面に示した実施例を参照にして説明したが、これは、例示的なものに過ぎなく、当該技術分野で通常の知識を有する者であれば、これから多様な変形及び均等な他の実施例が可能であることを理解するだろう。
【００６９】
したがって、本発明の真の技術的保護範囲は、特許請求の範囲によって定めるべきであろう。
【符号の説明】
【００７０】
１００：ポンプ式ディスペンサー
１１０：キャップ
１１２：ねじ山
１１４：固定片
１２０：ハウジング
１２２：滞留空間部
１２４：係止片
１２６：噴出口
１２８：離脱防止片
１２９：ガスケット
１３０：ヘッド
１３２：ノズル
１４０：収容部
１４５：遊動防止部材
１５０：ポンピング部
１５２：シャフト
１５３：流路
１５３ａ：流入口
１５４：チャプレット
１５６：ピストン
１５８：遮蔽部材
１６０：復元部
１６２：第１の支持部
１６４：第２の支持部
１６５：多重テンション部
１６６：第１のテンション部
１６８：第２のテンション部
Ｔ    ：チューブ
【図１】
2013086877.tif 000003
【図２】
2013086877.tif 000004
【図３】
2013086877.tif 000005
【図４】
2013086877.tif 000006
【図５】
2013086877.tif 000007
【図６】
2013086877.tif 000008
【図７】
2013086877.tif 000009
【図８】
2013086877.tif 000010